(57)【要約】【課題】対物レンズを搭載するレンズホルダに特別な構造を付加することなく高次共振の周波数特性上のピークを抑える。【解決手段】対物レンズ１を保持するレンズホルダ２を、固定ブロック７に固着された弾性支持部材６ａ〜６ｄで支持する対物レンズ駆動装置において、対物レンズ１をレンズホルダ２に接着する接着剤１０を塗布する位置を高次共振での変形が小さな場所とする。【選択図】        図１
2004164710.tif 000002
【特許請求の範囲】
【請求項１】
対物レンズが搭載された可動部と、該可動部を支持する支持手段と、前記可動部をフォーカシング方向とトラッキング方向に駆動する駆動系とを備え、前記可動部の弾性共振による複数の高次共振周波数のなかで、最も共振ピークの大きな高次共振周波数において、その高次共振周波数での変形の小さな位置に前記対物レンズが前記可動部に固着されていることを特徴とする対物レンズ駆動装置。
【請求項２】
前記対物レンズは、前記可動部の略方形の上面形状の対角線上で固着されていることを特徴とする請求項１に記載の対物レンズ駆動装置。
【請求項３】
前記対物レンズは、対角線上の４点で固着されていることを特徴とする請求項１に記載の対物レンズ駆動装置。
【請求項４】
前記対物レンズは、前記可動部に接着剤にて接着されていることを特徴とする請求項１から３のいずれかに記載の対物レンズ駆動装置。
【請求項５】
前記可動部は、該可動部をフォーカシング方向とトラッキング方向に駆動する駆動系を構成する磁気回路が挿入される穴部を有しておらず、略立方体形状をしていることを特徴とする請求項１から４のいずれかに記載の対物レンズ駆動装置。
【請求項６】
前記可動部の重心を通るフォーカシング方向に平行な直線は、対物レンズの重心を通るフォーカシング方向に平行な直線と一致していることを特徴とする請求項１から５のいずれかに記載の対物レンズ駆動装置。
【請求項７】
前記可動部のトラッキング方向の側面には、それぞれ１個ずつのトラックコイルが固着されていることを特徴とする請求項１から６のいずれかに記載の対物レンズ駆動装置。
【請求項８】
前記可動部外周部には、１個のフォーカスコイルが卷回されていることを特徴とする請求項１から７のいずれかに記載の対物レンズ駆動装置。
【発明の詳細な説明】
【０００１】
【発明の属する技術分野】
本発明は、記録媒体に収束させた光ビームを照射し、情報を記録再生する光学記録再生装置の、光を収束させる対物レンズを搭載した対物レンズ駆動装置に関する。
【０００２】
【従来の技術】
近年、コンパクトディスクと比較して、同じ大きさのディスクで７倍以上の情報が記録できるＤＶＤ等が登場してきている。  また、コンパクトディスクの数十倍の速さで情報の記録再生が可能な装置も登場している。
このような高密度、高転送レートの光学記録再生装置に用いられる対物レンズ駆動装置には高い制御帯域が要求される。このときに問題となるのが対物レンズ駆動装置の可動部の弾性共振による高次共振である。  この高次共振周波数をできるだけ高い周波数へ上げるためには、
▲１▼  可動部をヤング率が高くかつ軽い材料で構成する方法、
▲２▼  可動部に穴、切り欠き等がないような形状とし、可動部の剛性をあげる、という方法がある。
また、対物レンズに対しレンズホルダの共振の振動が伝達されないようにして対物レンズに対する共振の影響を低減することも提案されている。
【０００３】
高次共振周波数を高める対策のとられた対物レンズ駆動装置を以下に図を参照して説明する。図５は、上記の方法を採用して構成した対物レンズ駆動装置の分解斜視図、図６は、その上面図である。  対物レンズ１０１はフォーカスコイル１０３が巻かれたレンズホルダ１０２に紫外線硬化樹脂等の接着剤１１０で固定されている。本先行技術例では、接着剤の塗布位置は、トラッキング方向（Ｙ軸方向）に平行な中心線を通る二箇所である。レンズホルダ１０２の左右には、トラックコイル１０５が巻かれたトラックコイルホルダ１０４が接着固定されている。以上により可動部１１１が構成されている。可動部１１１には切り欠きや磁気回路を通すための穴がなく略立方体形状をしており、剛性が高い形状となっている。
【０００４】
トラックコイルホルダ１０４の突起部１０４ａの上下には金属弾性材で作られた弾性支持部材１０６ａ、１０６ｂ、１０６ｃ、１０６ｄが接着されている。弾性支持部材１０６ａ、１０６ｂ、１０６ｃ、１０６ｄの他端は固定ブロック１０７に固定されている。
ヨーク１０８にはそれぞれ図に示すように着磁された磁石１０９ａ、１０９ｂが固定されている。固定ブロック１０７はヨーク１０８に固定されている。
フォーカスコイル１０３、トラックコイル１０５に弾性支持部材１０６ａ、１０６ｂ、１０６ｃ、１０６ｄを介して通電することにより、磁石１０９ａ、１０９ｂの磁気回路により電磁力が発生し、弾性支持部材１０６ａ、１０６ｂ、１０６ｃ、１０６ｄに支持された可動部１１１は図示Ｚ方向（フォーカシング方向）、Ｙ方向（トラッキング方向）に駆動される。
【０００５】
なお、高次共振周波数をたかくするための方策としては、レンズホルダの光を通過させる側の側壁の上下方向の長さを短くすると共にその厚みを厚くし、その反対側の側壁の上下方向の長さを長くすると共にその厚みを薄くすること（例えば、特許文献１参照）が、また、レンズホルダの共振が対物レンズに伝達され難くするための方策としては、レンズホルダの対物レンズの両側にトラッキング方向およびフォーカシング方向と直交する方向に延びる制振用スリットを設け、二次共振による変位部が制振用スリットの中心付近に位置するようにすること（例えば、特許文献２参照）が提案されている。
【０００６】
【特許文献１】
特開２００１−２１６６６５号公報（第４頁右欄、図２〜図４）
【特許文献２】
特開２０００−２６８３８３号公報（第６頁左欄、図５〜図７）
【０００７】
【発明が解決しようとする課題】
図５、図６に示される対物レンズ駆動装置のフォーカシング方向に駆動したときの高次共振周波数での可動部１１１のフォーカシング方向変形等高線図を図７に示す。各辺の中心部付近での変形が最も大きく、対角線上では変形は小さく中心点で最低となっている。対物レンズ１０１をレンズホルダ２に固定する接着剤１１０は変形の大きな場所に塗布されて対物レンズ１をレンズホルダ１０２に固定している。このような構成では、レンズホルダ１０２の変形がそのまま対物レンズ１０１に伝わり、周波数特性上で大きなピークとなって現れる。周波数特性上で大きなピークを持つと高い制御帯域は確保できないという問題点がある。
【０００８】
また、上記特許文献１、２に記載されたものでは、レンズホルダにヨークを通すための開口が設けられている。特許文献２に記載されたものではさらに２個所にスリットが形成されている。このように多くの開口、スリットを有する構造では剛性が低下するため、高次共振周波数を高くすることが困難である。また、いずれのものもヨーク用の開口に加え、側壁の形状を異ならせたりスリットを設けたりしなければならないため、構造が複雑となり、レンズホルダを形成するための金型等が高価になるという問題点がある。
本発明の課題は、上述した先行技術の問題点を解決することであって、その目的は、対物レンズを搭載するレンズホルダに特別な構造を付加することなく高次共振の周波数特性上のピークの影響を抑えることである。
【０００９】
【課題を解決するための手段】
上記の目的を達成するため、本発明によれば、対物レンズが搭載された可動部と、該可動部を支持する支持手段と、前記可動部をフォーカシング方向とトラッキング方向に駆動する駆動系とを備え、前記可動部の弾性共振による複数の高次共振周波数のなかで、最も共振ピークの大きな高次共振周波数において、その高次共振周波数での変形の小さな位置に前記対物レンズが前記可動部に固着されていることを特徴とする対物レンズ駆動装置、が提供される。
そして、好ましくは、前記対物レンズは、前記可動部の略方形の上面形状の対角線上で固着される。また、好ましくは、前記可動部は、該可動部をフォーカシング方向とトラッキング方向に駆動する駆動系を構成する磁気回路が挿入される穴部を有しておらず、略立方体形状をしている。また、一層好ましくは、前記対物レンズは、接着剤により前記可動部固着されている。
【００１０】
【作用】
本発明によれば、対物レンズは可動部の高次共振での変形の小さい位置に固着されるので、可動部の高次共振での変形が接着剤等の固着材を介して対物レンズに伝わる程度が低く抑えられ、結果的に、対物レンズでの共振のピークを低く抑えることができる。
【００１１】
【発明の実施の形態】
次に、本発明の実施の形態について図面を参照して詳細に説明する。
図１は、本発明の１実施の形態の分解斜視図であり、図２は、その上面図である。それぞれ図中のＺ軸はフォーカシング方向、Ｙ軸はトラッキング方向を示す。対物レンズ１はフォーカスコイル３が巻かれたレンズホルダ２に接着剤１０で固定されている。接着剤１０の塗布位置は、図４に示すフォーカシング方向変形等高線図に示されるレンズホルダ２の変形の小さな場所、すなわち図中一点鎖線でしめすＸ字状の位置４箇所である。このような高次共振周波数でのレンズホルダ２の変形の状態を観測するには、ＦＥＭ解析等によるシュミレーション、二次元スキャニングドップラー変位計等により観測できる。
【００１２】
レンズホルダ２の左右にはトラックコイル５が巻かれたトラックコイルホルダ４が接着固定され、これらにより可動部１１が構成されている。ここで、可動部１１の重心を通るＺ軸に平行な直線は、対物レンズの重心を通るＺ軸に平行な直線と一致している。可動部１１には切り欠きがなく略立方体形状をしており、剛性が高い形状となっている。トラックコイルホルダ４の突起部４ａの上下には金属弾性材で作られた、板状の弾性支持部材６ａ、６ｂ、６ｃ、６ｄが接着されている。弾性支持部材６ａ、６ｂ、６ｃ、６ｄの他端は固定ブロック７に固定されている。
フォーカスコイル３、トラックコイル５に通電することにより磁石９ａ、９ｂの磁気回路により電磁力が発生し、弾性支持部材６ａ、６ｂ、６ｃ、６ｄに支持された可動部１１は図示Ｚ方向（フォーカシング方向）、Ｙ方向（トラッキング方向）に駆動される。
【００１３】
可動部１１をフォーカシング方向に駆動した時の、可動部の弾性共振による複数の高次共振のなかで、最も共振ピークの大きな高次共振周波数での可動部１１の変形等高線図を図４に示す。対物レンズ１は可動部１１にその変形の小さな部分にて接着剤１０で固定されている。従って、可動部１１の変形が対物レンズ１に伝わる程度を低減させることができ、対物レンズにおける共振ピークを低減させることができる。
可動部１１をフォーカシング方向に駆動した時の、フォーカシング方向１０ｋＨｚから１００ｋＨｚの周波数特性を図３に示す（測定点は対物レンズの中心部）。図中、実線は本発明の実施の形態によるもの、破線は図５に示した先行技術例の場合を示す。図３に示すように周波数特性上のピークを１０ｄＢ低減させることができる。
【００１４】
以上本発明の好ましい実施の形態について説明したが、本発明はこの実施の形態に限定されるものではなく、本発明の要旨を逸脱しない範囲内において適宜の変更が可能なものである。例えば、実施の形態ではフォーカスコイルとトラックコイルとはレンズホルダ側に搭載されていたが、これらを固定部側に搭載し磁石をレンズホルダ側に搭載するようにしてもよい。また、実施の形態では対物レンズは４個所において接着・固定されていたが、レンズホルダの１本の対角線上の２個所のみにおいて固定されるようにしてもよい。さらに、対物レンズは接着剤以外の固着手段によりレンズホルダに固着されてもよい。
【００１５】
【発明の効果】
以上説明したように、本発明の対物レンズ駆動装置は、対物レンズをレンズホルダに固定する位置を、高次共振周波数でのレンズホルダの変形量の小さな位置としたものであるので、レンズホルダに特別な構造を付加することなく、かつ、複雑で高価な金型等を使用しないでレンズホルダの変形が対物レンズに伝わる程度を低減させることができ、高次共振周波数での振幅ピークを低減することができる。
【図面の簡単な説明】
【図１】本発明の一実施の形態の分解斜視図。
【図２】本発明の一実施の形態の上面図。
【図３】本発明の一実施の形態と先行技術のフォーカシング方向１０ｋＨｚから１００ｋＨｚの周波数特性。
【図４】本発明の一実施の形態の、可動部の高次共振周波数でのフォーカシング方向変形等高線図。
【図５】本発明の先行技術例の分解斜視図。
【図６】本発明の先行技術例の上面図。
【図７】本発明の先行技術例の可動部の高次共振周波数でのフォーカシング方向変形等高線図。
【符号の説明】
１、１０１…対物レンズ、    ２、１０２…レンズホルダ、    ３、１０３…フォーカスコイル、    ４、１０４…トラックコイルホルダ、    ４ａ、１０４ａ…突起部、    ５、１０５…トラックコイル、    ６ａ、６ｂ、６ｃ、６ｄ、１０６ａ、１０６ｂ、１０６ｃ、１０６ｄ…弾性支持部材、    ７、１０７…固定ブロック、    ８、１０８１…ヨーク、    ９ａ、９ｂ、１０９ａ、１０９ｂ…磁石、    １０、１１０…接着剤、    １１、１１１…可動部
【図１】
2004164710.tif 000003
【図２】
2004164710.tif 000004
【図３】
2004164710.tif 000005
【図４】
2004164710.tif 000006
【図５】
2004164710.tif 000007
【図６】
2004164710.tif 000008
【図７】
2004164710.tif 000009